(57)【特許請求の範囲】
【請求項１】
熱源機内に設けられた給湯熱交換器と、該給湯熱交換器に水を給水する給水通路と、前記給湯熱交換器により加熱形成された湯を一つ以上の給湯先に給湯する給湯通路とを有する給湯回路を備え、浴槽に接続されて浴槽湯水を循環する湯水循環通路を有し、前記熱源機から外部に敷設された給湯通路の給湯側の位置に接続された接続通路の先端側が前記湯水循環通路に切り替え弁を介して接続され、前記熱源機から前記接続通路の前記給湯通路への接続部に至る給湯通路内に滞留する給湯の設定温度よりも予め定められた許容範囲を超えて低い温度の捨て水が前記給湯先から出ることを防ぐための捨て水出防止指令を受けたときに、前記切り替え弁を開いて前記給水通路から給水される通水の水を前記給湯熱交換器により加熱することで湯を形成し、その湯を前記給湯通路へ流出させて前記捨て水を前記給湯通路から前記接続通路と前記切り替え弁を介して前記湯水循環通路に導出し、前記捨て水の前記湯水循環通路への導出停止指令を受けたときには前記切り替え弁を閉じて前記給湯熱交換器による前記通水の加熱動作を停止するとともに前記給湯通路から前記湯水循環通路への水の導出を停止する捨て水導出制御手段が設けられていることを特徴とする熱源システム。
【請求項２】
接続通路を介して湯水循環通路に導出される水の温度を検出する導出水温検出手段を有し、該導出水温検出手段により検出される検出温度が給湯の設定温度または該設定温度よりも許容範囲内の予め定められた設定温度差だけ低い温度に達したときに捨て水の前記湯水循環通路への導出停止指令を発信する捨て水導出停止指令発信手段が設けられていることを特徴とする請求項１記載の熱源システム。
【請求項３】
熱源機には給湯先に配設されているリモコン装置が信号接続されており、該リモコン装置には捨て水出防止指令を出力するための捨て水出防止指令出力操作部と、捨て水の湯水循環通路への導出動作が停止されたときに給湯先から設定温度の湯または該設定温度の近傍温度の湯が出湯可能となったことを報知する報知手段の少なくとも一方が設けられていることを特徴とする請求項２記載の熱源システム。
【請求項４】
接続通路を介して湯水循環通路に導出される水の温度を検出する導出水温検出手段を有し、捨て水出防止出湯指令を受けてから前記導出水温検出手段により検出される検出温度が給湯の設定温度に達するまでに要する所要時間を予め求めておき、該所要時間に基づいて予め定められる算出方法により求められる前記所要時間未満の算出時間が経過したときに捨て水の前記湯水循環通路への導出停止指令を発信する捨て水導出停止指令発信手段が設けられていることを特徴とする請求項１記載の熱源システム。
【請求項５】
熱源機から給湯通路と前記接続通路とを通って湯水循環通路側に導出される捨て水の流量を検出する流量検出手段と、前記接続通路を介して前記湯水循環通路に導出される水の温度を検出する導出水温検出手段とを有し、捨て水出防止出湯指令を受けてから前記導出水温検出手段により検出される検出温度が給湯の設定温度に達するまでに要する所要時間を求めて、該所要時間と前記流量検出手段による検出流量とに基づき捨て水出防止出湯指令を受けてから前記導出水温検出手段により検出される検出温度が給湯の設定温度に達するまでに前記給湯通路と前記接続通路とを通過する水の通過水量を予め求めておき、該通過水量に基づいて予め定められる算出方法により求められる前記通過水量未満の算出水量の水が前記給湯通路と前記接続通路とを通過したことを前記流量検出手段の検出流量に基づいて判断されたときに捨て水の前記湯水循環通路への導出停止指令を発信する捨て水導出停止指令発信手段が設けられていることを特徴とする請求項１記載の熱源システム。
【請求項６】
熱源機には給湯先に配設されているリモコン装置が信号接続されており、該リモコン装置には捨て水出防止指令を出力するための捨て水出防止指令出力操作部と、捨て水の湯水循環通路への導出動作が停止されたときに給湯先から設定温度の湯または該設定温度の近傍温度の湯が出湯可能となったことを報知する報知手段の少なくとも一方が設けられていることを特徴とする請求項４または請求項５記載の熱源システム。
【請求項７】
切り替え弁と、導出水温検出手段と、捨て水導出停止指令発信手段と、捨て水導出制御手段とを有して、捨て水が給湯先から出ることを防ぐ捨て水導出防止ユニットが形成されていることを特徴とする請求項２乃至請求項６のいずれか一つに記載の熱源システム。
【請求項８】
給湯通路と接続通路との接続部にはヘッダが設けられて、該ヘッダには該ヘッダから温水を給湯先に導く１つ以上の給湯先端側通路と前記接続通路とが接続されていることを特徴とする請求項１乃至請求項７のいずれか一つに記載の熱源システム。
【請求項９】
捨て水出防止指令を受けたときに前回の給湯終了からの経過時間を検出し該検出時間が予め定められたキャンセル基準時間以内の時には捨て水導出制御手段による捨て水の湯水循環通路への導出動作をキャンセルする捨て水導出動作キャンセル手段が設けられていることを特徴とする請求項１乃至請求項８のいずれか一つに記載の熱源システム。
【発明の詳細な説明】
【技術分野】
【０００１】
本発明は、簡単な構成で省エネルギ化が可能であり、災害等による停電時に備えての保水も可能な熱源システムに関するものである。
【背景技術】
【０００２】
図４には、熱源機（熱源装置）２を備えた熱源システムの構成例が模式的に示されている。同図において、器具ケース６０内には燃焼室６１が設けられ、燃焼室６１内には給湯側のバーナ１（１ａ，１ｂ，１ｃ）と、浴槽１４内の湯水の追い焚き側のバーナ７が配置されている。これらのバーナ１，７には、それぞれのバーナ１，７に燃料を供給するガス管５５が接続されており、このガス管５５にはバーナ１，７への燃料供給・停止を制御するための開閉弁５１，５２，５３と、バーナ１への供給燃料量を弁開度でもって制御することができる比例弁５４とが介設されている。
【０００３】
また、バーナ１，７の下方側には、これらのバーナ１，７の燃焼の給排気を行う燃焼ファン５が設けられており、燃焼ファン５の回転によって、吸気口（図示せず）を介して外部より吸気する空気をバーナ１，７に送り、この空気と、ガス管５５を通って供給されるガスとによってバーナ燃焼を行う。バーナ燃焼により生じた燃焼ガスは、燃焼室２を通って排気口（図示せず）から排気される。
【０００４】
給湯側のバーナ１の上側には、２つの給湯熱交換器４，６が設けられている。給湯熱交換器４は、バーナ１の燃焼ガス中の顕熱を回収するメインの給湯熱交換器（一次給湯熱交換器）であり、メインの給湯熱交換器４は、複数の板状のフィン３を有して形成されている。給湯熱交換器６は、メインの給湯熱交換器４よりも前記燃焼ガスの流れの下流側に設けられており、燃焼ガスの顕熱および潜熱を回収する潜熱回収用給湯熱交換器（二次給湯熱交換器）である。
【０００５】
潜熱回収用給湯熱交換器６の入り口側には、給水源から水を導くための給水通路８が接続されており、潜熱回収用給湯熱交換器６の出口側にメインの給湯熱交換器４の入り口側が接続されている。また、メインの給湯熱交換器４の出口側には給湯通路９が接続されており、給湯通路９は、熱源機から外部に敷設されて、その給湯側の位置にはヘッダ２４が設けられている。
【０００６】
給水通路８と給湯熱交換器４，６と給湯通路９とを有して、給湯熱交換器４，６により加熱形成された湯を一つ以上の給湯先に給湯する給湯回路が形成されており、この例では、潜熱回収用給湯熱交換器６を通る水を潜熱回収の熱で予備加熱し、その予備加熱した水をメインの給湯熱交換器４の入水口に供給し、該メインの給湯熱交換器４で加熱した湯を送水して給湯路９から給湯先に給湯する。なお、潜熱回収用給湯熱交換器６を設けることによって効率の良い加熱ができる。
【０００７】
給水通路８には、該給水通路８から供給されて潜熱回収用給湯熱交換器６側へ流れ込む水の流量を検出する流量センサ（フローセンサ）１０と、水量制御弁１１，５６と、潜熱回収用給湯熱交換器６へ流れ込む水の入水温度を検出する入水サーミスタ（図示せず）とが設けられている。また、給湯通路９には流れ出る湯の温度を検出することができる出湯サーミスタ１９が設けられており、給湯通路９と給水通路８とは、管路１２と水量制御弁１１とを介して接続されている。
【０００８】
また、前記追い焚き側のバーナ７の上側には、浴槽湯水の追い焚きを行う追い焚き熱交換器１３が設けられおり、この追い焚き熱交換器１３は浴槽１４に接続されて浴槽湯水を循環する湯水循環通路としての追い焚き循環通路１５に設けられている。なお、この例では、追い焚き熱交換器１３も、バーナ７の燃焼ガスの顕熱を回収するメインの熱交換器１３ａと燃焼ガス中の顕熱および潜熱を回収する潜熱回収用熱交換器１３ｂとを有しており、メインの熱交換器１３ａは複数の板状のフィン３を有して形成されている。
【０００９】
追い焚き循環通路１５は、浴槽１４へと続く往管１６と、浴槽１４からの戻り管１７と、管路２１とを有して形成されている。管路２１の一端側は追い焚き熱交換器１３に接続されており、管路２１の他端側は浴槽湯水を循環させる循環ポンプ２３の吐出口側に接続されている。管路２１には、浴槽１４の水位を水圧によって検出する圧力センサの水位センサ２５と、管路２１を水が流れたことを検出したときにオンとなる流水スイッチ２６と、浴槽湯水の温度を検出する風呂温度センサ（図示せず）がそれぞれ設けられている。循環ポンプ２３の吸込口側には戻り管１７が接続されており、戻り管１７には注湯路２７の一端側が接続されている。注湯路２７には逆止弁を含む縁切り構成３５と注湯電磁弁２９とが設けられており、注湯路２７の他端側は前記給湯路９に接続されている。
【００１０】
前記潜熱回収用給湯熱交換器６の下側には、該潜熱回収用給湯熱交換器６で発生するドレンを回収するドレン回収手段３１と、該ドレン回収手段３１により回収したドレンを貯留するドレンタンク３２とが設けられている。ドレン回収手段３１とドレンタンク３２とはドレン管３３を介して接続されており、ドレンタンク３２の下部側には、管路５９の一端側が接続され、管路５９の他端側は排水口に接続されている。なお、ドレンは、燃焼ガス中の窒素酸化物（ＮＯｘ）等を含むため、酸性であるので、ドレンタンク３２には、ドレン排水（ドレン）を中和するための、例えば炭酸カルシウム等のドレン中和手段が設けられている。
【００１１】
熱源機２において、台所等への給湯機能、浴槽１４への湯張り、足し湯、足し水、浴槽湯水の追い焚き、ドレン排水機能、ドレン洗浄機能等の動作が、熱源機内の制御装置（図示せず）に予め与えられたシーケンスプログラムにしたがって行われるようになっており、制御装置には、図示されていないリモコン装置が信号接続されている。
【００１２】
なお、制御装置には、燃焼制御手段が設けられており、以下、燃焼制御手段の制御に基づく給湯運転動作例について簡単に説明する。給湯動作は、台所や洗面所、浴室等において、給湯通路９の先端側通路９ａの先端側に設けられた給湯栓１８を開く（つまみを回したり、レバーを操作したりする）ことにより開始されるものであり、流量センサ１０により給水通路８を通水する最低作動流量以上の流量を検出すると、燃焼制御手段の制御によって給湯側のバーナ１を燃焼させ、給湯熱交換器４，６（メインの給湯熱交換器４および潜熱回収用給湯熱交換器６）を通る水を加熱して湯を作成し、その湯を給湯通路９を通して、図４の矢印のように出湯し、給湯先へ供給する。
【００１３】
この給湯機能の動作では、燃焼制御手段は、前記入水サーミスタにより検出される入水温と、流量センサ１０により検出される給湯量と、給湯サーミスタ１９により検出される給湯温（出湯温）との検出情報に基づき、給湯設定温度となるようにガス管５５から供給されるガス量を比例弁１１４の開弁量によって制御する。給湯動作は給湯栓１８が閉止されることによって終了する。つまり、給湯栓１８の閉止によって流量センサ１０が通水の停止を検出したときに、燃焼制御装置は給湯側のバーナ１へのガス供給を遮断し、給湯側のバーナ１の燃焼を停止する。
【００１４】
自動湯張り機能の動作は、利用者等が前記リモコン装置の自動スイッチをオンすることにより開始するものであり、自動湯張り動作の開始時には循環ポンプ２３を駆動し、浴槽１４内に残水があるか否かに応じて異なるシーケンスプログラムに従い、浴槽１４内に湯張りを行う。なお、この湯張り動作用として、様々なシーケンスプログラムを適用することができるものであり、その詳細説明は省略するが、いずれの場合においても、注湯電磁弁２９が開かれ、前記給湯機能の動作と同様に、バーナ１の燃焼加熱により給湯熱交換器４，６を通る水を湯として、その湯を給湯通路９から注湯路２７に通し、追い焚き循環通路１５を通して浴槽１４へ落とし込む動作を行う。
【００１５】
そして、湯張りが開始されると、浴槽１４の水位が水位センサ２５によって検出され、この検出水位が予め設定された浴槽の設定水位に達したときに、注湯水・追い焚き制御手段４２が注湯電磁弁２９を閉じて湯張り動作が終了する。この湯張りの動作においては、予め設定された湯張りの設定温度となるように、バーナ１の燃焼制御が行われ、給湯熱交換器４，６の給湯湯温が制御される。
【００１６】
また、通常は、前記自動湯張り動作（浴槽１４への湯張りの動作）に引き続き、所定の時間（例えば４時間）にわたって保温機能の動作が行なわれる。保温機能の動作は、所定の時間間隔で循環ポンプ２３を短時間起動し、浴槽１４の湯を追い焚き循環通路１５を通して循環させながら、風呂温度センサ（図示せず）により浴槽１４の湯温（風呂温度）を検出して行われる。そして、該検出温度が風呂の設定温度よりも許容範囲を外れて低下したときに、循環ポンプ２３を駆動して浴槽１４の湯水を追い焚き循環通路１５を通して循環しながら、風呂温度センサの検出温度が風呂の設定温度になるまで、追い焚き側のバーナ７の燃焼により追い焚き熱交換器１３で加熱し、追い焚き動作を行うことにより浴槽湯水の温度が保温される。
【００１７】
さらに、前記リモコン装置に設けられている追い焚きスイッチが手動により操作されたときには、前記自動湯張り動作時の追い焚き動作と同様の制御が行われ、この制御によって、追い焚き単独動作が行われる。
【先行技術文献】
【特許文献】
【００１８】
【特許文献１】特開２００６−３４３０５６号公報
【発明の概要】
【発明が解決しようとする課題】
【００１９】
ところで、前回の給湯終了からの経過時間がたってから給湯が行われると、熱源機２から給湯先に至る給湯通路９内に滞留する冷たい水（給湯の設定温度よりもかなり低い冷たい水）が出てしまうために、利用者が不快な思いをするといった問題があった。また、利用者の多くは、冷たい水が出た後に湯を利用しようとして、設定温度近傍の湯が出るまでに給湯先から出る水を捨ててしまうため、この水が無駄になっていた。
【００２０】
本発明は、上記課題を解決するためになされたものであり、その目的は、簡単な構成で水の無駄を抑制でき、使い勝手の良好な熱源システムを提供することにある。
【課題を解決するための手段】
【００２１】
本発明は上記目的を達成するために、次の構成をもって課題を解決する手段としている。すなわち、第１の発明は、熱源機内に設けられた給湯熱交換器と、該給湯熱交換器に水を給水する給水通路と、前記給湯熱交換器により加熱形成された湯を一つ以上の給湯先に給湯する給湯通路とを有する給湯回路を備え、浴槽に接続されて浴槽湯水を循環する湯水循環通路を有し、前記熱源機から外部に敷設された給湯通路の給湯側の位置に接続された接続通路の先端側が前記湯水循環通路に切り替え弁を介して接続され、前記熱源機から前記接続通路の前記給湯通路への接続部に至る給湯通路内に滞留する給湯の設定温度よりも予め定められた許容範囲を超えて低い温度の捨て水が前記給湯先から出ることを防ぐための捨て水出防止指令を受けたときに、前記切り替え弁を開いて前記給水通路から給水される通水の水を前記給湯熱交換器により加熱することで湯を形成し、その湯を前記給湯通路へ流出させて前記捨て水を前記給湯通路から前記接続通路と前記切り替え弁を介して前記湯水循環通路に導出し、前記捨て水の前記湯水循環通路への導出停止指令を受けたときには前記切り替え弁を閉じて前記給湯熱交換器による前記通水の加熱動作を停止するとともに前記給湯通路から前記湯水循環通路への水の導出を停止する捨て水導出制御手段が設けられている構成をもって課題を解決する手段としている。
【００２２】
また、第２の発明は、前記第１の発明の構成に加え、前記接続通路を介して湯水循環通路に導出される水の温度を検出する導出水温検出手段を有し、該導出水温検出手段により検出される検出温度が給湯の設定温度または該設定温度よりも許容範囲内の予め定められた設定温度差だけ低い温度に達したときに捨て水の前記湯水循環通路への導出停止指令を発信する捨て水導出停止指令発信手段が設けられている構成をもって課題を解決する手段としている。
【００２３】
さらに、第３の発明は、前記第２の発明の構成に加え、前記熱源機には給湯先に配設されているリモコン装置が信号接続されており、該リモコン装置には捨て水出防止指令を出力するための捨て水出防止指令出力操作部と、捨て水の湯水循環通路への導出動作が停止されたときに給湯先から設定温度の湯または該設定温度の近傍温度の湯が出湯可能となったことを報知する報知手段の少なくとも一方が設けられていることを特徴とする。
【００２４】
さらに、第４の発明は、前記第１の発明の構成に加え、前記接続通路を介して湯水循環通路に導出される水の温度を検出する導出水温検出手段を有し、捨て水出防止出湯指令を受けてから前記導出水温検出手段により検出される検出温度が給湯の設定温度に達するまでに要する所要時間を予め求めておき、該所要時間に基づいて予め定められる算出方法により求められる前記所要時間未満の算出時間が経過したときに捨て水の前記湯水循環通路への導出停止指令を発信する捨て水導出停止指令発信手段が設けられていることを特徴とする。
【００２５】
さらに、第５の発明は、前記第１の発明の構成に加え、前記熱源機から給湯通路と前記接続通路とを通って湯水循環通路側に導出される捨て水の流量を検出する流量検出手段と、前記接続通路を介して前記湯水循環通路に導出される水の温度を検出する導出水温検出手段とを有し、捨て水出防止出湯指令を受けてから前記導出水温検出手段により検出される検出温度が給湯の設定温度に達するまでに要する所要時間を求めて、該所要時間と前記流量検出手段による検出流量とに基づき捨て水出防止出湯指令を受けてから前記導出水温検出手段により検出される検出温度が給湯の設定温度に達するまでに前記給湯通路と前記接続通路とを通過する水の通過水量を予め求めておき、該通過水量に基づいて予め定められる算出方法により求められる前記通過水量未満の算出水量の水が前記給湯通路と前記接続通路とを通過したことを前記流量検出手段の検出流量に基づいて判断されたときに捨て水の前記湯水循環通路への導出停止指令を発信する捨て水導出停止指令発信手段が設けられていることを特徴とすることを特徴とする。
【００２６】
さらに、第６の発明は、前記第４、第５の発明の構成に加え、前記熱源機には給湯先に配設されているリモコン装置が信号接続されており、該リモコン装置には捨て水出防止指令を出力するための捨て水出防止指令出力操作部と、捨て水の湯水循環通路への導出動作が停止されたときに給湯先から設定温度の湯または該設定温度の近傍温度の湯が出湯可能となったことを報知する報知手段の少なくとも一方が設けられていることを特徴とする。
【００２７】
さらに、第７の発明は、前記第２乃至第６のいずれか一つの発明の構成に加え、前記切り替え弁と、導出水温検出手段と、捨て水導出停止指令発信手段と、捨て水導出制御手段とを有して、捨て水が給湯先から出ることを防ぐ捨て水導出防止ユニットが形成されていることを特徴とする。
【００２８】
さらに、第８の発明は、前記第１乃至第７のいずれか一つの発明の構成に加え、前記給湯通路と接続通路との接続部にはヘッダが設けられて、該ヘッダには該ヘッダから温水を給湯先に導く１つ以上の給湯先端側通路と前記接続通路とが接続されていることを特徴とする。
【００２９】
さらに、第９の発明は、前記第１乃至第８の発明の構成に加え、前記捨て水出防止指令を受けたときに前回の給湯終了からの経過時間を検出し該検出時間が予め定められたキャンセル基準時間以内の時には捨て水導出制御手段による捨て水の湯水循環通路への導出動作をキャンセルする捨て水導出動作キャンセル手段が設けられていることを特徴とする。
【発明の効果】
【００３０】
本発明によれば、加熱形成された湯を一つ以上の給湯先に給湯する給湯通路を有する給湯回路には、熱源機から外部に敷設された給湯通路の給湯側の位置に接続通路が接続されて、その先端側は、浴槽に接続された湯水循環通路に切り替え弁を介して接続され、前記熱源機から前記接続通路の前記給湯通路への接続部に至る通路内に滞留する給湯の設定温度よりも予め定められた許容範囲を超えて低い温度の捨て水が前記給湯先から出ることを防ぐための捨て水出防止指令を捨て水導出制御手段が受けたときに、前記捨て水を前記給湯通路から前記接続通路と前記切り替え弁を介して前記湯水循環通路に導出するので、温度が低い捨て水が給湯通路から給湯先に給湯されることを防ぐことができる。
【００３１】
また、捨て水は湯水循環通路に導出されるので、例えば湯水循環通路から浴槽に導出し、浴槽の栓を閉じておくことにより、捨て水を浴槽に溜めることができ、その水を例えば災害用の貯留水として用いることができるし、追い焚きをすることにより入浴にも利用できる。そして、捨て水導出制御手段は、捨て水の前記湯水循環通路への導出停止指令を受けたときに、給湯通路から前記湯水循環通路への水の導出を停止することにより、適宜のタイミングで捨て水の給湯通路から前記湯水循環通路への導出を停止し、その後、給湯先に設定温度またはその近傍の湯を給湯するようにできる。
【００３２】
また、接続通路を介して湯水循環通路に導出される水の温度を検出する導出水温検出手段を設けて、該導出水温検出手段により検出される検出温度が給湯の設定温度または該設定温度よりも許容範囲内の予め定められた設定温度差だけ低い温度に達したときに捨て水の前記湯水循環通路への導出停止指令を発信する捨て水導出停止指令発信手段を設けることにより、熱源機から前記接続通路の前記給湯通路への接続部に至る通路内に滞留する水が湯水循環通路側に完全に導出されて、熱源機により加熱された設定温度または設定温度近傍の湯に入れ替わり、導出水温検出手段の配設位置に達してから捨て水の前記湯水循環通路への導出停止指令を発信することができる。そのため、このタイミングで捨て水の前記湯水循環通路への導出を停止することにより、給湯先からは、確実に、設定温度またはその近傍の湯を出湯することができる。
【００３３】
さらに、給湯先に配設されているリモコン装置を熱源機に信号接続し、リモコン装置に、捨て水出防止指令を出力するための捨て水出防止指令出力操作部を設けることにより、この捨て水出防止指令出力操作部の操作によって、容易に、かつ、利用者が給湯を開始しようとする適切なタイミングで、捨て水出防止指令を出力して、捨て水を湯水循環通路に導出することができる。
【００３４】
また、捨て水の湯水循環通路への導出動作が停止されたときに、給湯先から設定温度の湯または該設定温度の近傍温度の湯が出湯可能となったことを報知する報知手段をリモコン装置に設けて報知することによって、捨て水の湯水循環通路への導出後に、利用者が給湯先に設けられている操作レバーの操作や操作つまみの回転等によって、給湯栓を開く動作を行うことにより、設定温度またはその近傍の湯が直ぐに出湯される。そのため、熱源機の使い勝手をより一層良好にできる。
【００３５】
さらに、接続通路を介して湯水循環通路に導出される水の温度を検出する導出水温検出手段を設けて、該導出水温検出手段により検出される検出温度が、捨て水出防止出湯指令を受けてから給湯の設定温度に達するまでに要する所要時間を予め求めておき、該所要時間に基づいて予め定められる算出方法により求められる前記所要時間未満の算出時間が経過したときに捨て水の前記湯水循環通路への導出停止指令を発信する捨て水導出停止指令発信手段を設けることにより、以下の効果を奏することができる。
【００３６】
つまり、熱源機から前記接続通路の前記給湯通路への接続部に至る通路内に滞留する水が湯水循環通路側に導出されて、熱源機により加熱された設定温度または設定温度近傍の湯に入れ替わり、導出水温検出手段の配設位置に達してから捨て水の前記湯水循環通路への導出停止指令を発信すると、給湯通路の接続通路との接続部までに至る通路を通る水と接続通路を通る水とが設定温度またはその近傍温度になってから、捨て水の前記湯水循環通路への導出停止指令を発信することになるため、熱源機から給湯通路への接続通路の接続部までの間に滞留する捨て水が前記湯水循環通路に導出された後も、水の湯水循環通路への導出が行われることになり、その分だけ水が余計に前記湯水循環通路に導出されることになる。それに対し、導出水温検出手段により検出される検出温度が、捨て水出防止出湯指令を受けてから給湯の設定温度に達するまでに要する所要時間未満の、予め定められる算出方法により算出した算出時間が経過したときに捨て水の前記湯水循環通路への導出停止指令を発信することにより、前記のように水が余計に前記湯水循環通路に導出されないようにすることができるし、捨て水を前記湯水循環通路に導出した後に給湯先から出湯開始するまでの時間を短くすることもできる。
【００３７】
なお、算出方法は、例えば、前記所要時間の２分の１としたり、所要時間の３分の１としたりするなど、前記所要時間のＮ分の１（Ｎは正の整数）とする計算により求める方法とすることができる。接続通路の先端部を熱源機近傍位置において湯水循環通路に接続すると、給湯通路の熱源機から接続通路接続部までの配管距離と、接続通路の配管距離（つまり、給湯通路への接続部から湯水循環通路までの距離）はほぼ等しくなるので、Ｎは２となる。また、算出方法は、所要時間−Ａ秒（Ａは正の実数であり、例えば２０）といった計算により求める方法とすることもできる。
【００３８】
ただし、給湯通路において、接続通路が接続されている接続部と熱源機との間の長さや接続通路の長さは、熱源機の敷設毎に異なるものであるので、予め定められる算出方法によって算出した算出時間が経過したときに、捨て水の湯水循環通路への導出停止指令を発信した場合に、算出時間が短すぎて、熱源機から接続通路の給湯通路への接続部に至る給湯通路内に滞留する水が、熱源機により加熱された設定温度または設定温度近傍の湯に完全には入れ替わらずに、その状態で、給湯栓を開いた場合に、給湯先から設定温度よりもかなり低い温度の水が出る可能性がある。
【００３９】
そこで、例えば熱源機の試運転時に、所要時間−Ａ秒の計算により求めた時間経過直後に捨て水の湯水循環通路への導出停止指令を発信して給湯栓を開いた場合に、給湯先から設定温度よりもかなり低い温度の水が出るかどうかを確認し、設定温度よりもかなり低い温度の水が出てしまうようであれば、Ａの値を小さくするように操作する操作部を設けて、この操作部によりＡの値を変更できるようにしたり、Ａの値を小さくするように熱源システム側に指令を与える指令発信操作部を設けて、この指令発信操作部の操作が行われたときには熱源システム側が、予め定められた条件（例えば指令発信操作部の操作が行われる毎にＡの値を５［秒］小さくするといったような条件）に基づいて、Ａの値を自動的に変更するようにしてもよい。また、季節に応じて（入水温度に応じ）Ａの値を変えてもよい。
【００４０】
さらに、熱源機から給湯通路と前記接続通路とを通って湯水循環通路側に導出される捨て水の流量を検出する流量検出手段と、接続通路を介して湯水循環通路に導出される水の温度を検出する導出水温検出手段を設けて、該導出水温検出手段により検出される検出温度が捨て水出防止出湯指令を受けてから給湯の設定温度に達するまでに、給湯通路と接続通路とを通過する水の通過水量を予め求めておき、該通過水量に基づいて予め定められる算出方法により求められる前記通過水量未満の算出水量の水が前記給湯通路と前記接続通路とを通過したことを前記流量検出手段の検出流量に基づいて判断されたときに捨て水の前記湯水循環通路への導出停止指令を発信する捨て水導出停止指令発信手段を設けることにより、以下の効果を奏することができる。
【００４１】
つまり、この場合も、捨て水出防止出湯指令を受けてから、給湯通路の接続通路との接続部までに至る通路を通る水と接続通路を通る水とが設定温度またはその近傍温度になるまでに給湯通路と接続通路とを通過する水の通過水量未満の、予め定められる算出方法により算出した算出流量の水が、給湯通路と接続通路とを通過したと判断されたときに捨て水の湯水循環通路への導出停止指令を発信することにより、前記と同様に、水が余計に湯水循環通路に導出されることを防ぐことができるし、捨て水を湯水循環通路に導出した後に給湯先から出湯開始するまでの時間を短くすることもできる。
【００４２】
なお、算出方法は、例えば、前記水の通過水量の２分の１としたり、水の通過水量の３分の１としたりするなど、Ｎ分の１（Ｎは正の整数）とする計算により求める方法とすることができる。接続通路の先端部を熱源機近傍位置において湯水循環通路に接続すると、給湯通路の熱源機から接続通路接続部までの配管距離と、接続通路の配管距離（つまり、給湯通路への接続部から湯水循環通路までの距離）はほぼ等しくなるので、Ｎは２となる。また、算出方法は、水の通過水量−Ｂリットル（Ｂは正の実数であり、例えば１）といった計算により求める方法とすることもできる。
【００４３】
また、この場合も、前記と同様に、予め定められる算出方法によって算出した算出流量の水が経過しても、熱源機から接続通路の給湯通路への接続部に至る給湯通路内に滞留する水が熱源機により加熱された設定温度または設定温度近傍の湯に完全には入れ替わらずに、その状態で、給湯栓を開いた場合に、給湯先から設定温度よりもかなり低い温度の水が出る可能性があるので、例えば熱源機の試運転時に、前記算出方法を可変できるように構成してもよい。
【００４４】
例えば、熱源機の試運転時に、水の通過水量−Ｂリットルの計算により求めた水量が通過したと判断された直後に、捨て水の湯水循環通路への導出停止指令を発信して給湯栓を開いた場合に給湯先から設定温度よりもかなり低い温度の水が出るかどうかを確認し、設定温度よりもかなり低い温度の水が出てしまうようであれば、Ｂの値を小さくするように操作する操作部を設けて、この操作部によりＢの値を変更できるようにしたり、Ｂの値を小さくするように熱源システム側に指令を与える指令発信操作部を設けて、この指令発信操作部の操作が行われたときには熱源システム側が、予め定められた条件（例えば指令発信操作部の操作が行われる毎にＢの値を０．５リットル少なくするといったような条件）に基づいて、Ｂの値を自動的に変更するようにしたりしてもよい。また、季節や入水温度に応じてＢの値を変えてもよい。
【００４５】
さらに、切り替え弁と、導出水温検出手段と、捨て水導出停止指令発信手段と、捨て水導出制御手段とを備えて、捨て水が給湯先から出ることを防ぐ捨て水導出防止ユニットを形成することにより、このユニットの取扱性を良好にして追い焚き循環通路に接続しやすくできるし、必要に応じて熱源機やリモコン装置に接続したりすることにより、熱源システムの構成をすっきりさせることができる。
【００４６】
さらに、給湯通路と接続通路との接続部にヘッダを設けて、該ヘッダに、ヘッダから温水を給湯先に導く１つ以上の給湯先端側通路と前記接続通路とを接続することにより、接続通路の給湯通路への接続を非常に容易に行うことができる。
【００４７】
さらに、前回の給湯終了からの経過時間が短いときには、給湯通路内の湯水の温度が大きくは低下せず、給湯の設定温度またはその近傍の温度の場合もあるので、前回の給湯終了からの経過時間が、給湯先から給湯の設定温度またはその近傍の温度の湯が出湯されるような時間をキャンセル基準時間として予め定め、捨て水出防止指令を受けたときに前回の給湯終了からの経過時間を検出し該検出時間が前記キャンセル基準時間以内の時には捨て水導出制御手段による捨て水の湯水循環通路への導出動作をキャンセルする捨て水導出動作キャンセル手段を設けることにより、設定温度またはその近傍の温度の水を前記湯水循環通路側に導出せずにすむ。そのため、前回の給湯終了からの経過時間が前記キャンセル基準時間以内の時には、水の前記湯水循環通路側への導出動作を省くことができ、かつ、給湯先からは直ぐに設定温度またはその近傍の温度の湯を出湯することができる。
【図面の簡単な説明】
【００４８】
【図１】本発明に係る熱源システムの一実施例を模式的に示すシステム構成図である。
【図２】実施例の熱源システムの制御構成を示すブロック図である。
【図３】実施例の熱源システムに設けられる縁切り手段の構成例を示す断面説明図である。
【図４】従来の熱源装置の構成例を示す説明図である。
【発明を実施するための形態】
【００４９】
以下、本発明の実施の形態を図面に基づき説明する。なお、本実施例の説明において、従来例と同一構成要素には同一符号を付し、その重複説明は省略または簡略化する。
【実施例１】
【００５０】
図１には、本発明に係る熱源システムの一実施例の構成が模式的に示されている。同図に示されるように、本実施例の熱源システムは、図４に示したシステムと同様の熱源機２を有しているが、本実施例では、ヘッダ２４に接続通路３６が接続され、この接続通路３６の先端側が切り替え弁６２，６３を介して追い焚き循環通路１５に接続されており、切り替え弁６２，６３を備えた捨て水導出ユニット３４が接続通路３６と追い焚き循環通路１５との接続部に設けられている。
【００５１】
そして、本実施例は、この構成によって、必要に応じて給湯通路９を通る水を追い焚き循環通路１５側に導出して浴槽１４側に導出できるようにしており、それにより、従来は捨ててしまっていた水を捨てないようにして水の無駄を省き、かつ、その水を災害時や入浴等に利用できるようにしている。
【００５２】
捨て水導出ユニット３４は、例えば熱源機２の近傍において熱源機２の下部側に配置され、図２に示されるように、制御装置４３と、導出水温検出手段４７と、前記切り替え弁６２，６３を有している。制御装置４３には、捨て水導出制御手段４４、捨て水導出停止指令発信手段４５、捨て水導出動作キャンセル手段４６が設けられている。制御装置４３は、熱源機２の制御装置４０に信号接続され、この制御装置４０を介してリモコン装置５０に信号接続されている。制御装置４０には信号中継手段４１と燃焼制御手段４２が設けられ、リモコン装置５０には報知手段４８と捨て水出防止指令出力操作部４９が設けられている。
【００５３】
捨て水導出制御手段４４は、熱源機２から接続通路３６の給湯通路９への接続部（ここでは、ヘッダ２４）に至る給湯通路９内に滞留する、給湯の設定温度よりも予め定められた許容範囲（例えば２℃）を超えて低い温度の捨て水が給湯先から出ることを防ぐための捨て水出防止指令を受けたときに、切り替え弁６２，６３を切り替え、前記捨て水を給湯通路９から接続通路３６と切り替え弁６２，６３を介して追い焚き循環通路１５に導出し（例えば往管１６ａと戻り管１７ａを通し）浴槽１４に導出する（なお、通常は、接続通路３６と追い焚き循環通路１５とが非接続状態となるような態様と成している）。
【００５４】
また、本実施例において、捨て水出防止指令は、給湯先に配設されているリモコン装置５０の捨て水出防止指令出力操作部４９を利用者が操作したときに発信される。捨て水出防止指令出力操作部４９は、捨て水出防止指令を出力（発信）するための操作手段であり、例えばリモコン装置５０に設けられる即湯ボタンにより形成される。この場合、即湯ボタンがオンされると、捨て水出防止指令が発信される。発信された捨て水出防止指令は、熱源機２の信号中継手段４１を介して、捨て水導出制御手段４４に加えられる。
【００５５】
また、捨て水出防止指令は燃焼制御手段４２にも加えられ、燃焼制御手段４２は、捨て水出防止指令が加えられると、給湯運転動作時と同様に、バーナ１の燃焼を行って湯を形成し、給湯通路９に通すが、湯が形成される前の（湯の温度が設定温度近傍の温度になる前の）、熱源機２からヘッダ２４に至る給湯通路９内の水は、捨て水導出制御手段４４の制御によって、接続通路３６を通して追い焚き循環通路１５に導入され、浴槽１４に導入されることになる。なお、燃焼制御手段４２は、給湯運転動作を始めとし、従来例で述べたような、熱源機２の運転に関わる燃焼制御を行うものであるが、その詳細説明は省略する。
【００５６】
導出水温検出手段４７は、接続通路３６を介して追い焚き循環通路１５に導出される水の温度を検出する温度センサにより形成されている。
【００５７】
捨て水導出停止指令発信手段４５は、例えば以下に述べるタイミングで捨て水の湯水循環通路（追い焚き循環通路１５）への導出停止指令を発信する。つまり、捨て水導出停止指令発信手段４５は、例えば熱源機２の施工者の試運転時の操作に応じて、捨て水出防止出湯指令を受けてから導出水温検出手段４７により検出される検出温度が給湯の設定温度に達するまでに要する所要時間を予め求めておき、該所要時間に基づいて予め定められる算出方法により求められる前記所要時間未満の算出時間が経過したときに捨て水の前記湯水循環通路への導出停止指令を発信する。前記算出方法は、例えば前記所要時間のＮ分の１（Ｎは正の整数であり、通常は２）とする計算とすることができる。つまり、本実施例では、接続通路３６の先端部を熱源機２の近傍位置において追い焚き循環通路１５に接続しているので、給湯通路９の熱源機２からヘッダ２４までの配管距離と、ヘッダ２４から追い焚き循環通路１５までの接続通路３６の配管距離はほぼ等しくなるので、Ｎは２となる。
【００５８】
なお、捨て水導出停止指令発信手段４５は、前記算出方法を、前記所要時間−Ａ秒（Ａは正の実数であり、例えば２０）の計算）とすることもできる。また、捨て水導出停止指令発信手段４５は、以下のようにして、捨て水の前記湯水循環通路への導出停止指令を発信することもできる。
【００５９】
つまり、熱源機２から給湯通路９と接続通路３６とを通って追い焚き循環通路１５側に導出される捨て水の流量を流量センサ（流量検出手段）１０により検出し、この検出結果を、捨て水導出停止指令発信手段４５は信号中継手段４１を介して時々刻々と、あるいは、予め定められたタイミングことに受信する。そして、例えば熱源機２の施工者の試運転時の操作に応じて、前記受信結果と、捨て水出防止出湯指令を受けてから接続通路３６を介して追い焚き循環通路１５に導出される水の温度（導出水温検出手段４７によって検出される温度）が給湯の設定温度に達するまでに要する所要時間とに基づき、捨て水導出停止指令発信手段４５は、捨て水出防止出湯指令を受けてから導出水温検出手段４７により検出される検出温度が給湯の設定温度に達するまでに給湯通路９と接続通路３６とを通過する水の通過水量を予め求める。
【００６０】
そして、求めた通過水量に基づいて、捨て水導出停止指令発信手段４５は、予め定められる算出方法（例えば、求めた水の通過水量のＮ分の１（Ｎは正の整数であり、接続通路３６の先端部を熱源機２の近傍において追い焚き循環通路１５に接続していることによる前記と同様の理由により、通常は２）とする計算により求める方法や、水の通過水量−Ｂリットル（Ｂは正の実数であり、例えば１）といった計算）により求められる前記通過水量未満の算出水量の水が前記給湯通路と前記接続通路とを通過したことを、流量センサ１０の検出流量に基づいて判断されたときに、捨て水の前記湯水循環通路（追い焚き循環通路１５）への導出停止指令を発信するようにしてもよい。
【００６１】
また、図２の破線に示すように、前記流量検出手段として、捨て水導出ユニット３４に流量センサ１０ａを設け、捨て水導出停止指令発信手段４５は、流量センサ１０の検出値の代わりに流量センサ１０ａの検出値に基づき、水出防止出湯指令を受けてから導出水温検出手段４７により検出される検出温度が給湯の設定温度に達するまでに給湯通路９と接続通路３６とを通過する水の通過水量の検出、算出水量の算出、捨て水の湯水循環通路（追い焚き循環通路１５）への導出停止指令発信の制御を行うようにしてもよい。
【００６２】
さらに、捨て水導出停止指令発信手段４５は、導出水温検出手段４７により検出される検出温度が給湯の設定温度または該設定温度よりも許容範囲内の予め定められた設定温度差（例えば２℃）だけ低い温度に達したときに捨て水の湯水循環通路への導出停止指令を発信し、捨て水導出制御手段４４に加えるようにしてもよい。
【００６３】
なお、いずれのタイミングで捨て水の湯水循環通路（追い焚き循環通路１５）への導出停止指令を発信するかを熱源機２によって予め設定しておいてもよいし、停止指令発信タイミングの選択手段を設けて、利用者等が選択できるようにしてもよい。いずれの場合も、捨て水導出停止指令発信手段４５は、前記のようなタイミングで発信する捨て水の湯水循環通路への導出停止指令を、捨て水導出制御手段４４に加える。
【００６４】
捨て水導出制御手段４４は、捨て水導出停止指令発信手段４５から前記捨て水の前記湯水循環通路（追い焚き循環通路１５）への導出停止指令を受けたときには、切り替え弁６２，６３を切り替えて接続通路３６と追い焚き循環通路１５とを非接続状態とし、給湯通路９から追い焚き循環通路１５への水の導出を停止する。また、捨て水導出制御手段４４は、給湯通路９から追い焚き循環通路１５への水の導出を停止したときには、この水の導出停止済み信号を熱源機２の信号中継手段４１を介してリモコン装置５０の報知手段４８に加える。
【００６５】
報知手段４８は、水の導出停止済み信号を受けて、給湯先から設定温度の湯または該設定温度の近傍温度の湯が出湯可能となったことを、チャイム音、ブザー音等の音や、アナウンス、ＬＥＤ（発光ダイオード）等の照明の点滅や点灯等により報知する。そして、この報知手段４８の報知が行われてから利用者が給湯栓１８を開けば、給湯の設定温度またはその近傍の温度の湯が即、出湯される。
【００６６】
捨て水導出動作キャンセル手段４６は、捨て水導出制御手段４４が捨て水出防止指令を受けたときに、前回の給湯終了からの経過時間を検出し、該検出時間が予め定められたキャンセル基準時間（例えば５分）以内の時には、捨て水導出制御手段４４による捨て水の湯水循環通路（追い焚き循環通路１５）への導出動作をキャンセルする手段である。
【００６７】
なお、本実施例において、捨て水導出湯ユニット３４内の接続通路３６には、導出水温検出手段４７の近傍に、追い焚き循環通路１５側から給湯通路９側に水が流れないようにするための縁切り手段１３０が設けられている。なお、図１においては、縁切り手段１３０は、導出水温検出手段４７の左側の位置（上流側）に設けられているが、右側（下流側）の位置に設けてもよい。この縁切り手段１３０は、図３に示されるように、メイン弁室７５と、縁切り室７６と、排水室７７と、吐出弁室７８とを備えている。
【００６８】
メイン弁室７５の入口通路８０は接続通路３６の給湯通路側（つまり、上流側）に連通されている。メイン弁室７５の底壁８２からは弁座８２として機能する筒壁が突設されており、この弁座８２の上側には弁孔通路８４の入口側を開閉するメイン開閉弁として機能するパイロット電磁弁８５が配設されている。
【００６９】
縁切り室７６はメイン弁室７５の下方位置に設けられており、この縁切り室７６には第１の逆止弁８６と大気開放弁８７とが設けられている。
【００７０】
第１の逆止弁８６は縁切り室７６の内壁面に沿って上下移動が自在の弁体８８を有しており、この弁体８８の上部側にはＯリング等のシール部材９０が装着されており、このシール部材９０は前記弁孔通路８４の出口側に設けられている傾斜壁面９１に当接し、弁体８８の上下移動により弁孔通路８４の出口を開閉するようになっている。この弁体８８の中心部には下方に突設した胴部９２を備えており、この胴部９２には鍔９３を備えた筒部材９４が上下摺動自在に遊嵌されており、この筒部材９４の底壁９５の中心部にはパイロット弁孔９６が形成されている。このパイロット弁孔９６は前記弁体８８の胴部９２の下端面と対向しており、この下端面には弁９７が設けられ、この弁９７によりパイロット弁孔９６の開閉が行われるようになっている。前記弁体８８の周壁側からは係合片１００が内側に向けて突設されており、この係合片１００は弁体８８が上方移動するときに、鍔９３に係合し、弁体８８と連動して筒部材９４を上方に引き上げる構成となっている。
【００７１】
前記筒部材９４の底壁９５の下端面側には縁切り室７６と排水室７７とを連通する弁孔１０１を開閉する弁１０２が設けられており、弁体８８の下方移動によって弁孔１０１は弁１０２によって閉じられ、このとき、前記係合片１００と鍔９３の間には隙間が形成される。前記係合片１００と縁切り室７６の底壁間にはスプリング１０４が配設されており、常時はこのスプリング１０４の復元力によって弁体８８は上方に付勢され、弁孔通路８４の出口側をシール部材９０で閉止しており、この状態で弁孔１０１は開放されている。なお、パイロット弁孔９６，弁９７，４２の機構部は弁孔１０１を開閉する大気開放弁８７を構成している。
【００７２】
前記吐出弁室７８は、上部室１０６と下部室１０７を有して縁切り室７６の隣側に配置され、縁切り室７６から横方向に伸びる通路１０５によって縁切り室７６と上部室１０６との連通が図られている。上部室１０６と下部室１０７の隔壁１０８には弁孔１１０が形成されており、この弁孔１１０の入口側には負圧閉止弁１１１が設けられており、この負圧閉止弁１１１と上部室１０６の頂壁１１２間には圧縮状のスプリング１１３が介設されており、このスプリング１１３の付勢力を受けて弁孔１１０は負圧閉止弁１１１によって閉鎖されている。一方、下部室１０７には弁孔１１０の出口側を開閉する第２の逆止弁１１４が設けられており、この第２の逆止弁１１４と下部室１０７の底部間には同様に圧縮状のスプリング１１５が介設されており、このスプリング１１５の付勢力によって弁孔１１０の出口側は第２の逆止弁１１４によって閉鎖されている。前記下部室１０７は接続通路３６の追い焚き循環管路１３側に接続されている。
【００７３】
前記縁切り室７６と弁孔通路８４を介して連通する排水室７７の底面側からはガイド軸１１７が上方に向けて突設されており、このガイド軸１１７にフロート１１８が摺動自在に嵌め込まれている。そしてこのフロート１１８にはマグネット（図示せず）が取りつけられ、排水室７７の壁面にはリードスイッチ（図示せず）が設けられ、フロート１１８が浮力を受けて予め設定された水位まで上昇したときに、フロート１１８側のマグネットとリードスイッチとが対向し、リードスイッチから循環ポンプ２３を起動するオン信号が出力されるようになっており、このフロート１１８側のマグネットと前記リードスイッチにより水位スイッチが形成されている。また、排水室７７の底壁側からは上方に突出するオーバーフロー管１２０が設けられており、排水室７７の水位がオーバーフロー管１２０の上端を越えたときに、そのオーバーフローの水がオーバーフロー管１２０を通して外に排出されるようになっている。
【００７４】
また、排水室７７の底壁には排水管１２１の入口側が連通されており、図１に示されるように、排水管１２１の出口側は追い焚き循環通路１５の戻り管１７、つまり、循環ポンプ２３の吸い込み側の管路に接続されている。そして、排水管１２１には第３の逆止弁１２２と電磁弁１２３が設けられている。なお、本実施例において、排水管１２１の出口側の接続部よりも浴槽１４側寄りの戻り管１７には電動二方弁１２４が設けられている。
【００７５】
本実施例において、捨て水導出制御手段４４の制御によって接続通路３６を通しての給湯通路９側から追い焚き循環通路１５側への通水が行われるときには、縁切り手段１３０においてパイロット電磁弁８５の開動作により弁孔通路８４の入口側が開かれ、給湯通路９側から接続通路３６に通水される水は弁孔通路８４に入り込み、その水圧により、弁体８８をスプリング１０４の付勢力に抗して下方に押し下げ、弁孔通路８４の出口側を開く。同時に、弁体８８の下方への押しつけ移動により、弁９７の下方移動によってパイロット弁孔９６が閉じられ、同様に弁孔１０１は弁１０２の下方移動によって閉じられ、縁切り室７６と排水室７７との連通が遮断される。この連通遮断により、縁切り室７６に入り込む水は水道圧によって負圧閉止弁１１１を押し上げて弁孔１１０に入り込み、さらに第２の逆止弁１１４をスプリング１１５の付勢力に抗して下方に押し下げて弁孔５０の出口側が開かれる結果、湯は弁孔１１０から下部室１０７に入り込み、接続通路３６を通って追い焚き循環通路１５に入り込む。
【００７６】
そして、捨て水導出停止指令発信手段４５から捨て水導出停止指令が発信されると、逆止パイロット電磁弁８５の弁の閉止動作によって弁孔通路８４の入口側が閉止される結果、弁体８８を下方に押しつける力よりもスプリング１０４の上方への付勢力が打ち勝ち、弁体８８が上昇移動を開始する。このとき、弁１０２が形成されている筒部材９４の鍔９３と弁体８８側の係合片１００との間には隙間が形成されているので、まず弁体８８は係合片１００が鍔９３に係止するまで上昇移動し、この弁体８８の上昇移動により弁９７も連動して上方移動する結果、パイロット弁孔９６が最初に開かれる。
【００７７】
そうすると、排水室７７側の大気がパイロット弁孔９６を通って縁切り室７６に入り込む結果、縁切り室７６は大気圧となり、縁切り室７６内の水圧を利用した弁１０２による弁孔１０１の押しつけ閉止力が解除される。スプリング１０４の復元力を受けて弁体８８がさらに上昇し続けると、係合片１００は鍔９３に係合し、筒部材９４が弁体８８と一体的に上方移動するので、弁１０２も一体的に上方移動し、弁孔１０１が完全に開放され、弁孔通路８４の出口側は第１の逆止弁８６のシール部材９０によって閉じられる。
【００７８】
このとき、縁切り室７６内に満たされていた水は弁孔１０１から排水室７７側に入り込むが、このとき、フロート１１８が浮力を受けて設定位置まで上昇すると、リードスイッチからオン信号が出力されて電磁弁１２３が開けられ、電動二方弁１２４が閉められて循環ポンプ２３の起動が行われ、排水室７７内に溜まった水は排水管１２１を通った後、循環ポンプ２３により強制的に追い焚き循環通路１５の往管１６側から浴槽１４内に排水される。
【００７９】
また、パイロット電磁弁２５の閉動作と同時に負圧閉止弁１１１はスプリング１１３の付勢力によって弁孔１１０の入口側を閉止し、排水室７７側の空気が縁切り室７６を通って弁孔１１０に入り込むのを防止する。また、第２の逆止弁１１４もパイロット電磁弁８５の閉動作と同時にスプリング１１５の付勢力によって弁孔１１０の出口側を閉じ、追い焚き循環管路３側から汚水が弁孔１１０を経て縁切り室７６側に入り込むのを防止する。
【００８０】
このような縁切り手段１３０を設けると、たとえ浴槽１４を熱源機よりも高い位置に配設した場合においても、浴槽１４側の汚水が縁切り室７６側に逆流して入り込むのを防止することができる。この場合、第１と第２の逆止弁８６，１１４が故障し、たとえ浴槽１４側の汚水が縁切り室７６に入り込んでも、この入り込んだ汚水は大気開放弁の開放によって排水室７７側に入り込み、この排水室７７の汚水の水位が設定水位を越えたときに水位スイッチの動作により循環ポンプ２３が起動して排水室７７内の汚水が強制的に浴槽１４側に戻されるので、汚水が接続通路３６通して給湯通路９側に入り込むことはない。さらに、この場合、停電等により循環ポンプ２３の起動ができない場合にも、排水室７７内に入り込んだ汚水はオーバーフロー管１２０を越えたときに、このオーバーフロー管１２０から外に排出されるので、どのような場合においても浴槽１４側の汚水と給湯通路９側の上水との縁切りが大気開放弁の開放によって確実に行われることとなり、衛生上、非常に安全である。
【００８１】
本実施例は以上のように構成されており、利用者が給湯開始時にリモコン装置５０の捨て水出防止指令出力操作部４９を操作すると、捨て水出防止指令が出力されて、熱源機２の信号中継手段４１を介して捨て水導出ユニット３４の捨て水導出制御手段４４に加えられ、捨て水が給湯通路９から接続通路３６を通り、接続通路３６に介設された縁切り手段１３０を介し、さらに、切り替え弁６２，６３を介して追い焚き循環通路１５に導出され、浴槽１４に導出される。なお、この水は、浴槽１４の栓を閉じておくことにより浴槽１４に溜めることができる。
【００８２】
また、捨て水出防止指令出力操作部４９の操作時には、捨て水出防止指令が燃焼制御手段４２にも加えられ、燃焼制御手段４２による給湯運転動作に関わる湯の形成動作が行われ、前記のような捨て水の追い焚き循環通路１５への導出および、それによる浴槽１４への導出が行われながら、湯の形成が行われて給湯通路９を通る水の温度が設定温度近傍の温度に高められていく。
【００８３】
その後、前記のような適宜のタイミングで、捨て水導出停止指令発信手段４５から捨て水の湯水循環通路（追い焚き循環通路１５）への導出停止指令が出力され、捨て水導出制御手段４４によって、給湯通路９から追い焚き循環通路１５への水の導出が停止される。そして、このとき、リモコン装置５０の報知手段４８から給湯先から設定温度の湯または該設定温度の近傍温度の湯が出湯可能となったことが報知されるので、この報知に基づいて利用者が給湯栓１８を開くことにより、給湯先に設定温度またはその近傍の湯を給湯するようにできる。
【００８４】
なお、利用者が給湯開始時にリモコン装置５０の捨て水出防止指令出力操作部４９を操作したときに、前回の給湯終了からの経過時間が前記キャンセル基準時間以内の時には、前記のような、捨て水導出制御手段４４による捨て水の追い焚き循環通路１５への導出動作は捨て水導出動作キャンセル手段４６によってキャンセルされる。
【００８５】
なお、本発明は、前記実施例に限定されるものでなく、適宜設定されるものである。例えば、図２の破線に示したように、捨て水導出防止ユニット３４に流量センサ１０ａを設ける構成において、流量センサ１０ａの検出水量に基づき、例えば１日当たり、１週間当たり、１ヶ月当たりといったような単位期間内に、湯水循環通路（追い焚き循環通路１５）に導出される捨て水の水量を合計したり、流量センサ１０ａを設けずに、熱源機２の流量センサ１０の検出水量と、捨て水の追い焚き循環通路１５への導出時間（捨て水出防止指令の発信から導出停止指令の発信までの時間）とに基づいて、前記のような単位期間内に、追い焚き循環通路１５に導出される捨て水の水量を合計したりして、捨て水を捨てずに追い焚き循環通路１５に導出し浴槽１４に導出して溜めることによりどれだけの節約ができたかを求め、その結果を報知してもよい。
【００８６】
なお、この報知は、例えばリモコン装置５０に設けられている報知手段４８により、表示部への表示や、スピーカを用いてのアナウンスによって行うものであり、例えば、「今日は、１日で水を１０リットル節約できました」というように、水量の無駄が省けた分を直接報知するようにしてもよいし、「今日は、１日で、水道代をＣ円節約できました」（Ｃは正の数）というように、節約できた金額を報知するようにしてもよい。このような報知を行うようにすると、利用者の節約意識を高めることができ、利用者がより一層気持ちよく利用できるような熱源システムとすることができる。
【００８７】
さらに、前記実施例では、切り替え弁６２，６３と、導出水温検出手段４７と、捨て水導出停止指令発信手段４５と、捨て水導出制御手段４４と、捨て水導出動作キャンセル手段４６とを有して、捨て水が給湯先から出ることを防ぐ捨て水導出防止ユニット３４を形成したが、捨て水導出動作キャンセル手段４６は省略することもできる。また、水導出防止ユニット３４は形成せず、例えば熱源機２の制御装置４０内に、捨て水導出停止指令発信手段４５と、捨て水導出制御手段４５とを有する制御構成を設け、導出水温検出手段４７の検出温度等に基づいて切り替え弁６２，６３を制御し、捨て水の導出や導出停止等を行うようにしてもよい。
【００８８】
さらに、前記実施例では、接続通路３６の先端側を２つに分岐し、切り替え弁６２，６３を介して追い焚き循環通路１５に２カ所で接続したが、接続通路３６を分岐せず、一つの切り替え弁を介して追い焚き循環通路１５に１カ所で接続してもよい。この場合、接続通路３６から追い焚き循環通路１５側に導入される水を、切り替え弁の両側の通路に通水できるようにするとよい。例えば切り替え弁６２のみを設けた場合には、切り替え弁６２を介して追い焚き循環通路１５に導入された水を、浴槽１４側の往管１６ａと熱交換器１３側の往管１６ｂの両方に向けて通水できるようにし、切り替え弁６３のみを設けた場合には、切り替え弁６３を介して追い焚き循環通路１５に導入された水を、浴槽１４側の戻り管１７ａと循環ポンプ２３側の往管１７ｂの両方に向けて通水できるようにするとよい。
【００８９】
さらに、前記実施例では、給湯通路９と接続通路３６との接続部にヘッダ２４を設けて、ヘッダ２４に、温水を給湯先に導く１つ以上の給湯先端側通路９ａと接続通路３６とを接続したが、ヘッダ２４を設けずに、配管用のチーズ（Ｔ字型のメカニカル継手）等を介して給湯通路９と接続通路３６とを接続してもよい。
【００９０】
さらに、前記実施例では、熱源機２に信号接続されたリモコン装置５０に、捨て水出防止指令出力操作部４９としての即湯ボタンを設けたが、即湯ボタン等の専用の捨て水出防止指令出力操作部４９を設けずに、リモコン装置５０に通常設けられている運転ボタン（熱源機２の運転をオンオフするための運転ボタン）がオンされたときに（つまり、利用者が給湯をしようとして運転ボタンをオンするときに）、捨て水出防止指令が出力されるようにしてもよい。
【００９１】
さらに、前記実施例では、熱源機２に信号接続されたリモコン装置５０に報知手段４８を設けたが、報知手段４８は省略することもできる。この場合でも、利用者が捨て水の湯水循環通路（追い焚き循環通路１５）への導出終了までのおおよその時間を予め把握しておいて、その時間が経過した後に給湯栓１８を開くようにすれば、捨て水の追い焚き循環通路１５への導出を行い、かつ、給湯栓１８を開いたときに設定温度またはその近傍の湯が出湯されるようにすることができる。なお、仮に、捨て水の追い焚き循環通路１５への導出が終了していない状態で給湯栓１８が開かれたときには、給水通路８に給水される水量のうち、その多くは（例えば８０％程度）接続通路３６を通って追い焚き循環通路１５に導出され、残りの水量の水が給湯先に供給されることになり、捨て水の追い焚き循環通路１５への導出終了後に、給湯栓１８の開度に応じた水量の湯が給湯先から出湯されることになるため、捨て水の追い焚き循環通路１５への導出機能を設けていない従来例に比べると水の無駄を格段に省くことができるし、使い勝手も良好にできる。
【００９２】
さらに、前記実施例では、熱源機は、給湯側と追い焚き側とを個別に加熱する二缶二水路の熱交換器を有する構成としたが、熱源機は一缶二水路の熱交換器を有する構成としてもよい。この場合には、切り替え弁６２，６３の配設態様を、接続通路３６から追い焚き循環通路１５に導入される水が熱交換器側に流れないように、設定する。つまり、一缶二水路の熱交換器を有する構成においては、給湯動作時の熱交換器の加熱によって追い焚き循環通路１５の熱交換器側の加熱も行われてしまうため、接続通路３６から追い焚き循環通路１５に導入される水が熱交換器側に流れると、捨て水の加熱が行われることになり、エネルギの無駄が生じてしまうので、その追い焚きを防ぐためには、切り替え弁６２，６３の配設態様を設定することがよい。
【００９３】
さらに、前記実施例では、図３に示すような構成を有する縁切り手段１３０を接続通路３６に設けたが、縁切り手段１３０の構成は必ずしも前記実施例に設けた構成と同様とは限らず、接続通路３６には適宜の縁切り構成が設けられるものである。ただし、図３に示したような構成の縁切り手段１３０を設けると、その縁切り手段１３０による前記のような効果を奏することができるため好ましい。
【００９４】
さらに、前記実施例では、熱源機は、給湯機能と風呂の追い焚き機能とを備えた装置としたが、これらの機能に加え、暖房装置や浴室乾燥機等への温水供給と温水循環とが可能な暖房機能を有していてもよいし、太陽光の熱を集熱する集熱機等を接続した太陽熱集熱機能を有する装置としてもよい。
【００９５】
さらに、前記実施例では、熱源機は、ガス燃焼を行うバーナを設けて形成したが、その代わりに石油燃焼用のバーナを設けてもよい。
【産業上の利用可能性】
【００９６】
本発明の熱源システムは、簡単な構成で水の無駄を抑制でき、災害時の非常用の水を供えることも可能となるので、例えば家庭用の熱源システムとして利用できる。
【符号の説明】
【００９７】
２          熱源機
９          給湯通路
１０        流量センサ
１０ａ      流量センサ
１４        浴槽
１５        追い焚き循環通路
２４        ヘッダ
３４        捨て水導出ユニット
３６        接続通路
４０        制御装置
４１        信号中継手段
４２        燃焼制御手段
４３        制御装置
４４        捨て水導出制御手段
４５        捨て水導出停止指令発信手段
４６        捨て水導出動作キャンセル手段
４７        導出水温検出手段
４８        報知手段
４９        捨て水出防止指令出力操作部
５０        リモコン装置
６２，６３  切り替え弁
【図１】
0005993217.tif 000002
【図２】
0005993217.tif 000003
【図３】
0005993217.tif 000004
【図４】
0005993217.tif 000005